(57)【要約】【課題】  バッテリからの電力供給と内燃機関を用いた発電により生成された電力の供給で走行量電力を得る車両において、バッテリ残量と内燃機関による発電見込みを適切に反映した残走行可能距離を算出し得るようにする。【解決手段】  バッテリＢのバッテリ電力残量ＷＢと、燃料タンクＴの燃料残量を用いてエンジンＥと発電機Ｇにより発電可能なエンジン電力残量ＷＥに基づいて、基準電力残量Ｗを算出する基準電力残量算出手段１を備える。基準電力残量Ｗは、バッテリ電力残量ＷＢとエンジン電力残量ＷＥの加重平均として求められる。バッテリ電力残量ＷＢが所定閾値Ｓ以上の場合には、バッテリ電力残量ＷＢの重みＸＢが大きく設定され、バッテリ電力残量ＷＢが所定閾値Ｓ未満の場合には、エンジン電力残量ＷＥの重みＸＥが大きく設定される。残走行可能距離算出手段は、基準電力残量Ｗを、基準電費算出手段２により算出された基準電費Ｅで除することにより、残走行可能距離を算出する。【選択図】      図１
2020029179.tif 000002
【特許請求の範囲】
【請求項１】
バッテリからの電力と内燃機関により生成された電力により駆動される電動モータを用いて走行する車両の残走行可能距離を算出する残走行可能距離算出装置において、
前記バッテリの電力残量であるバッテリ電力残量を検出するバッテリ電力残量検出手段と、
前記車両に蓄えられている燃料残量を用いて前記内燃機関により発電可能な電力であるエンジン電力残量を算出するエンジン電力残量算出手段と、
前記バッテリ電力残量と前記エンジン電力残量に基づいて、残走行可能距離を算出に用いる基準電力残量を算出する基準電力残量算出手段と、
前記基準電力残量と前記車両の電力消費率の累積データに基づいて、前記車両の残走行可能距離を算出する残走行可能距離算出手段と
を備え、
前記基準電力残量算出手段は、前記バッテリ電力残量が所定閾値以下である場合には、前記基準電力残量の算出における前記エンジン電力残量の比重を小さくする残走行可能距離算出装置。
【請求項２】
請求項１に記載の残走行可能距離算出装置において、
前記所定閾値は、前記バッテリ電力残量のみでは、必要な距離の走行ができなくなる電力値である請求項１に記載の残走行可能距離算出装置。
【請求項３】
請求項１又は請求項２に記載の残走行可能距離算出装置において、
前記バッテリ電力残量が所定閾値未満である場合には、前記エンジン電力残量のみを用いて残走行可能距離を算出する残走行可能距離算出装置。
【請求項４】
請求項１から請求項４に記載の残走行可能距離算出装置において、
前記バッテリ電力残量が前記所定閾値未満となった場合には、バッテリ電力残量の不足を車両の運転者に報知する残走行可能距離算出装置。
【発明の詳細な説明】
【技術分野】
【０００１】
本発明は、自動車等の車両に用いられる残走行可能距離算出装置に関するものである。
【背景技術】
【０００２】
近年、自動車等の車両においては、電動モータを用いて走行する車両（例えば電気自動車）が普及してきている。このような車両の残走行可能距離を算出して表示するための技術として、例えば、特許文献１には、いわゆるシリーズハイブリッド車両において、バッテリの蓄電量と発電用エンジンの燃料タンクの燃料残量の双方に基づいて、残走行可能距離を算出する制御装置が開示されている。また、特許文献２には、車両用航続可能距離推定装置において、電費算出のためのサンプリング期間として、第１のサンプリング期間と、より長い第２のサンプリング期間とを備え、予め規定された初期条件が成立した場合（バッテリの充電が終了した場合）に、第１のサンプリング期間に代えて第２のサンプリング期間を用いて航続可能距離を推定することにより、適切な推定を可能とした装置が開示されている。
【先行技術文献】
【特許文献】
【０００３】
【特許文献１】特開２０１２−１０１６１６
【特許文献２】特開２０１３−２７１６６
【発明の概要】
【発明が解決しようとする課題】
【０００４】
ところで、電動モータを用いて走行する車両には、駆動モータに電力供給するバッテリに加えて、内燃機関（ガソリンエンジン）と発電機を備え、発電機で生成された電力も駆動モータに供給可能とされたものがある。このような車両における残走行距離の算出においては、バッテリ残量と内燃機関による発電見込みの両方が適切に考慮されて、結果として、車両の運転者に適切な充電行動を促し得るようにすることが望ましい。
【０００５】
本発明は、以上のような事情を勘案してなされたもので、その目的は、バッテリからの電力供給と内燃機関を用いた発電により生成された電力の供給で走行量電力を得る車両において、バッテリ残量と内燃機関による発電見込みを適切に反映した残走行可能距離を算出し得る残走行可能距離算出装置を提供することである。
【課題を解決するための手段】
【０００６】
前記目的を達成するため、本発明にあっては、次のような解決方法を採択している。すなわち、請求項１に記載のように、バッテリからの電力と内燃機関により生成された電力により駆動される電動モータを用いて走行する車両の残走行可能距離を算出する残走行可能距離算出装置において、前記バッテリの電力残量であるバッテリ電力残量を検出するバッテリ電力残量検出手段と、前記車両に蓄えられている燃料残量を用いて前記内燃機関により発電可能な電力であるエンジン電力残量を算出するエンジン電力残量算出手段と、前記バッテリ電力残量と前記エンジン電力残量に基づいて、残走行可能距離を算出に用いる基準電力残量を算出する基準電力残量算出手段と、前記基準電力残量と前記車両の電力消費率の累積データに基づいて、前記車両の残走行可能距離を算出する残走行可能距離算出手段とを備え、前記基準電力残量算出手段は、前記バッテリ電力残量が所定閾値以上である場合には、前記基準電力残量の算出における前記エンジン電力残量の比重を小さくする。
【０００７】
上記解決手法によれば、バッテリ電力残量が所定閾値以上の場合には、バッテリ電力残量がエンジン電力残量よりも優先的に残走行可能距離の算出に反映されるので、バッテリ電力残量が減少してきた場合に、エンジン電力残量の存在による余裕が運転者に示されてしまうことで運転者が充電を怠ってしまうことを適切に防止でき、内燃機関による発電が制限される場合における電欠を防止できる。一方、バッテリ電力残量が所定閾値未満の場合には、残走行可能距離の算出にエンジン電力残量が反映されるので、運転者は、必要以上に残走行可能距離が短いと認識してしまうことはなく、適切な運転計画を立てることができる。
【０００８】
上記解決手法を前提とした好ましい態様は、特許請求の範囲における請求項２以下に記載の通りである。すなわち、前記所定閾値は、前記バッテリ電力残量のみでは、必要な距離の走行ができなくなる電力値である（請求項２対応）。この場合、運転者は、エンジン電力残量を当てにせずに、バッテリ電力残量の減少を認識できるので、内燃機関の作動が制限されるような状況でも、適切にバッテリへの充電を促すことができる。
前記バッテリ電力残量が前記所定閾値未満である場合には、前記エンジン電力残量のみを用いて残走行可能距離を算出する（請求項３対応）。この場合、バッテリ電力残量が所定閾値を下回ったところで、残走行可能距離の算出がエンジン電力残量のみに基づくものに切り替えられるので、適切な残走行可能距離の算出を効果的に実行できる。
【０００９】
前記バッテリ電力残量が所定閾値未満となった場合には、バッテリ電力残量の不足を車両の運転者に報知する（請求項４対応）。この場合、運転者は、エンジン電力残量による走行が可能であるだけで、バッテリ電力残量が不足していることを適切に認識できるので、速やかな充電が促される。
【発明の効果】
【００１０】
本発明によれば、バッテリ電力残量が所定閾値以上である場合には、バッテリ電力残量がエンジン電力残量よりも優先的に残走行可能距離の算出に反映されるので、バッテリ電力残量が減少による残走行可能距離の減少が適切に算出され、エンジン電力残量による発電が制限される場合等における、内燃機関による発電見込みを当てにした電欠を適切に防止できる。
【図面の簡単な説明】
【００１１】
【図１】本発明の制御系の一例及び車両の構成の一部を示すブロック構成図。
【図２】バッテリ電力残量が所定閾値以上である場合におけるバッテリ電力残量とエンジン電力残量と基準電力残量の関係を示す図。
【図３】バッテリ電力残量が所定閾値未満である場合におけるバッテリ電力残量とエンジン電力残量と基準電力残量の関係を示す図。
【図４】電力消費率の累積データの概要を示す図。
【図５】本発明の残走行可能距離算出における制御の一例の制御手順を示すフローチャート。
【発明を実施するための形態】
【００１２】
以下、添付図面に基づいて本発明の実施形態について説明する。
【００１３】
図１には、本発明の残走行可能距離算出装置を備えた車両の構成の一部及び制御系の一例をブロック構成図で示す。図示されるように、車両は、駆動手段である電動モータに電力供給するバッテリＢと、発電機Ｇを駆動して生成した電力を電動モータに供給する内燃機関であるエンジンＥを併せ持っている。なお、本実施形態において、車両は、駆動手段として電動モータのみを備え、この電動モータにバッテリと内燃機関から走行用電力を供給するタイプの車両（いわゆるシリーズハイブリッド車両）である。
【００１４】
制御系は、例えばマイクロコンピュータを利用して構成されたコントローラＵを備えている。コントローラＵは、残走行可能距離算出のための手段（プログラム）として、基準電力残量算出手段１と、基準電費算出手段２と、残走行可能距離算出手段３を備えている。
【００１５】
基準電力残量算出手段１は、残走行可能距離算出のために用いられる基準電力残量を算出する手段である。ここで、基準電力残量は、車両において走行用電力をして利用可能な総電力残量そのものではなく、バッテリＢの電力残量に応じて、適切に調節された電力残量である。
【００１６】
基準電力残量の算出において、基準電力残量算出手段１は、まず、バッテリ残量検出手段４により検出されたバッテリＢの電力残量（バッテリ電力残量ＷＢ）の検出信号を取得するとともに、燃料残量検出手段５により検出された燃料タンクＴ内の燃料残量の検出信号を取得し、この燃料残量を用いてエンジンＥ及び発電機Ｇにより生成可能な電力量（エンジン電力残量ＷＥ）を算出する。
【００１７】
バッテリ電力残量ＷＢとエンジン電力残量ＷＥに各々の重み（バッテリ電力残量の重みＸＢとエンジン電力残量の重みＸＥ）を乗じたうえで加え合わせた電力量が、基準電力残量Ｗとなる。すなわち、基準電力残量Ｗは、以下の式（１）で算出される。
Ｗ＝ＸＢ・ＷＢ＋ＸＥ・ＷＥ  …（１）
バッテリ電力残量の重みＸＢとエンジン電力残量の重みＸＥは、バッテリ電力残量ＷＢが所定閾値Ｓ以上であるか否かによって変更される。すなわち、バッテリ電力残量が所定閾値Ｓ以上である場合には、残走行可能距離の算出におけるエンジン電力残量ＷＥの比重が小さくされる。ここで、所定閾値Ｓは、バッテリ電力残量ＷＥが所定閾値以下である場合に、このバッテリ電力残量ＷＥのみでは、必要な地点（例えば直近の充電ポイント）まで車両が走行できなくなる値である。
【００１８】
このように、バッテリ電力残量ＷＢが所定閾値Ｓ以上の場合には、基準電力残量Ｗの算出（ひいては残走行可能距離の算出）において、エンジン電力残量ＷＢの比重が小さくされ、バッテリ電力残量ＷＢがエンジン電力残量ＷＥよりも大きく反映されるので、バッテリ電力残量が減少してきた場合に、エンジン電力残量の存在による余裕が運転者に示されてしまうことで運転者が充電を怠ってしまうことを適切に防止でき、エンジンＥによる発電が制限される場合における電欠を防止できる。
【００１９】
一方、バッテリ電力残量ＷＢが所定閾値Ｓ未満の場合には、基準電力残量Ｗの算出（ひいては残走行可能距離の算出）にエンジン電力残量が大きく反映されるので、運転者は、必要以上に残走行可能距離が短い（電力残量が少ない）と認識してしまうことはなく、適切な運転計画を立てることができる。なお、この場合、バッテリ電力残量ＷＢが所定閾値Ｓを下回っており、実際には電力不足となりつつあることを、例えば表示手段Ｄによって、運転者に報知するようにしてもよい。
【００２０】
次に、図２及び図３にしたがって、バッテリ電力残量とエンジン電力残量の各々に重みの設定例について説明する。本設定例においては、バッテリ電力残量ＷＢが所定閾値Ｓ以上である場合（バッテリ電力残量に余裕がある場合）には、図２に示すように、バッテリ電力残量の重みＸＢを０．９に、エンジン電力残量の重みＸＥを０．１に設定に設定することにより、基準電力残量Ｗにおけるバッテリ電力残量ＷＢのウエイトを大きくする。つまり、基準電力残量Ｗは、以下の式（２）の通りとなる。
Ｗ＝０．９ＷＢ＋０．１ＷＥ  …（２）
一方、バッテリ電力残量ＷＢが所定閾値Ｓ未満である場合（バッテリ電力残量に余裕がない場合）には、図３に示すように、バッテリ電力残量の重みＸＢを０．１に、エンジン電力残量の重みＸＥを０．９に設定することにより、基準電力残量Ｗにエンジン電力残量ＷＥも適切に反映されるようにする。つまり、基準電力残量Ｗは、以下の式（３）の通りとなる。
Ｗ＝０．１ＷＢ＋０．９ＷＥ  …（３）
なお、上記設定例は一例であり、例えば、バッテリ電力残量ＷＢが所定閾値Ｓ未満である場合に、バッテリ電力残量の重みＸＢを０に、エンジン電力残量の重みＸＥを１にする（つまり、エンジン電力残量ＷＥのみを基準電力残量Ｗとする）設定も可能である。
【００２１】
基準電費算出手段２は、車両の残走行可能距離を算出するために用いられる電力消費率である基準電費を算出する手段である。基準電費算出手段２は、データ記憶手段Ｍから取得したデータに基づいて、基準電費Ｅを算出する。なお、後述もするように、残走行可能距離は、基準電力残量Ｗを基準電費Ｅで除した値Ｗ／Ｅとして算出されることになる。
【００２２】
データ記憶手段Ｍは、例えば外部記憶装置から構成され、車両の走行距離の所定周期毎（例えば１ｋｍ毎）の電力消費率（走行距離毎の電力消費量）が、時系列で蓄積された累積データとして記憶されている。図４には、データ記憶手段Ｍに記憶された累積データを模式的に示している。累積データにおいて、現時点に一番近い周期における電力消費率は現電費ｅ（ｉ）であり、この現電費ｅ（ｉ）の前に単位過去電費ｅ（ｉ−ｊ）が連なることにより累積データが構成されることになる。ここで、ｉ、ｊは自然数であり、ｉはその時点までのデータ蓄積数（蓄積された周期の数）を、また、ｊは現電費から何周期前の単位過去電費であるかを、それぞれ示している。
【００２３】
基準電費の算出においては、まず単位過去電費ｅ（ｉ−ｊ）の系列から、過去電費ｅｐを算出する。具体的には、現電費ｅ（ｉ）の1周期前の単位過去電費ｅ（ｉ−１）を過去電費ｅｐとしてもよいし、現電費ｅ（ｉ）の前の複数周期分の単位過去電費の平均値を過去電費ｅｐとしてもよい。
【００２４】
基準電費は、現電費ｅｃ（＝ｅ（ｉ））を過去電費ｅｐの加重平均（重み付き電費）として算出される。すなわち、基準電費Ｅは、過去電費ｅｐの寄与度αと現電費ｅｃの寄与度βを、過去電費ｅｐと現電費ｅｃの各々の重みとする過去電費ｅｐと現電費ｅｃの加重平均として算出される。具体的な算出式は、以下の式（４）の通りである。
Ｅ＝（α・ｅｐ＋β・ｅｃ）／（α＋β）  …（４）
なお、基準電費算出における過去電費ｅｐの寄与度αと現電費ｅｃの寄与度βは、例えば、基準電力残量Ｗが少なくなるほど、過去電費の寄与度αに対する現電費の寄与度βの比が大きくなるように設定してもよい。これにより、基準電力残量Ｗ（走行に利用できる電力残量）が少なく、走行用電力の不足となり易い場合には、残走行可能距離の算出において現電費ｅｃが大きく考慮され、その時点における運転状態、走行環境等が適切に反映された正確な残走行可能距離が算出される。一方、基準電力残量Ｗが十分にある場合（電欠までに余裕がある場合）には、残走行可能距離の算出において過去電費ｅｐ（つまり、現電費ｅｐよりも過去の電力消費率の履歴）が大きく考慮されるので、算出された残走行可能距離は、算出時点における運転状態、走行環境等の一時的な変化によって変動し難い安定性の高いものとなる。したがって、残走行可能距離の算出は、算出時における基準電力残量Ｗに応じて、最適な安定性と正確性を両立した形で実行できる。
【００２５】
残走行可能距離算出手段３は、基準電力残量算出手段１で算出された基準電力残量Ｗを基準電費算出手段で算出された基準電費Ｅで除することにより、残走行可能距離Ｌ＝Ｗ／Ｅを算出する。算出された残走行可能距離Ｌは、表示手段Ｄ（例えば、車両のインストルメントパネルに設け
られた液晶ディスプレイ）に表示されて、車両の運転者に示される。
【００２６】
次に、図５のフローチャートにしたがって、コントローラＵにおける残走行可能距離算出の制御の一例について説明する。残走行可能距離算出においては、まずステップＳ１において、バッテリ電力残量のデータを取得し、ステップＳ２において、燃料残量のデータを取得するとともに、その燃料残量で発電可能なエンジン電力残量を算出する。ステップＳ３においては、電力消費率の累積データ（現電費及び過去電費）に基づいて、基準電費を算出する。
【００２７】
ステップＳ４においては、バッテリ電力残量ＷＢが所定閾値Ｓ以上であるか否かの判定がなされ、所定閾値Ｓ以上である場合には、ステップＳ５に進み、バッテリ電力残量の重みＸＢを０．９に、エンジン電力残量の重みＸＥを０．１に、それぞれ設定し、ステップＳ８に進む。
【００２８】
一方、ステップＳ４において、バッテリ電力残量ＷＢが所定閾値Ｓ以上でないと判定された場合には、ステップＳ６に進み、バッテリ電力残量の重みＸＢを０．１に、エンジン電力残量の重みＸＥを０．９に、それぞれ設定する。続くステップＳ７においては、バッテリ電力残量ＷＢが所定閾値Ｓ未満となったことを運転者に報知し、ステップＳ８に進む。
【００２９】
ステップＳ８においては、基準電力残量Ｗを基準電費Ｅで除することにより、残走行可能距離を算出する。ステップＳ９においては、算出された残走行可能距離を表示装置Ｄに表示して、一巡の処理を終了する。
【００３０】
以上、本発明の実施形態について説明したが、本発明は、上記実施形態に限定されるものではなく、特許請求の範囲に記載された範囲において適宜の変更が可能である。
【産業上の利用可能性】
【００３１】
本発明は、電動モータによって駆動される車両において、残走行可能距離を算出するために利用できる。
【符号の説明】
【００３２】
Ｂ  バッテリ
Ｅ  エンジン
Ｇ  発電機
Ｔ  燃料タンク
Ｕ  コントローラ
１  基準電力残量算出手段
２  基準電費算出手段
３  残走行可能緒距離算出手段
４  バッテリ残量検出手段
５  燃料残量検出手段
Ｍ  データ記憶手段
Ｄ  表示手段
【図１】
2020029179.tif 000003
【図２】
2020029179.tif 000004
【図３】
2020029179.tif 000005
【図４】
2020029179.tif 000006
【図５】
2020029179.tif 000007